(57)【要約】【課題】接続金具の口径が異なる消防ホースを接続することができるネジ式の消火栓バルブを提供する。【解決手段】バルブ本体２の消火液流出口６に接続したホース接続筒８の先端部外周に小径消防ホース１０の接続金具１１を螺合接続する雄ネジ１２を形成し、前記ホース接続筒８の外側に可動接続筒９を、軸方向へ移動可能となり、このホース接続筒８の先端側に位置させた状態で前記雄ネジ１２の外側を覆うことのできるように取付け、この可動接続筒９の外周先端側に大径消防ホース１０ａの接続金具１１ａを螺合接続する雄ネジ１３を設けた。【選択図】図１
0003137784.tif 000002
【実用新案登録請求の範囲】
【請求項１】
バルブ本体の消火液流出口にホース接続筒を設け、このホース接続筒の先端部外周に小径消防ホースの接続金具を螺合接続する雄ネジを形成し、前記ホース接続筒の外側に、軸方向へ移動可能となるよう外嵌し、このホース接続筒の先端側に位置させた状態で前記雄ネジの外側を覆うことのできる可動接続筒を取付け、この可動接続筒の外周先端側に大径消防ホースの接続金具を螺合接続する雄ネジを設けた消火栓バルブ。
【請求項２】
上記可動接続筒は、その軸方向の移動範囲が、ホース接続筒の先端側に位置させた状態でこのホース接続筒の雄ネジを覆い、ホース接続筒の根元側に位置させた状態でこのホース接続筒の雄ネジを露出させるように設定され、可動接続筒とホース接続筒は、この可動接続筒をホース接続筒の先端側に位置させた状態で、両者の先端面が同一面になるよう形成されている請求項１に記載の消火栓バルブ。
【請求項３】
上記ホース接続筒と可動接続筒の嵌合面間に、止水シールを設けた請求項１又は２に記載の消火栓バルブ。
【考案の詳細な説明】
【技術分野】
【０００１】
この考案は、大小口径の異なる消防ホースを接続することができるネジ式の消火栓バルブに関する。
【背景技術】
【０００２】
一般に、ネジ式の消火栓バルブは、給水管の端部に取付けるバルブ本体の消火液（水）流出口にホース接続筒を設け、このホース接続筒の先端部外周面に、消防ホースの端部に設けた接続金具を外嵌螺合するための雄ネジを形成した構造を有し、前記ホース接続筒に消防ホースの端部をネジ結合によって接続した状態で、バルブ本体に設けた弁機構を開弁することにより、消防ホースからの放水が可能になる。
【考案の開示】
【考案が解決しようとする課題】
【０００３】
ところで、ネジ式の消火栓バルブは、ホース接続筒の先端部外周面に、特定の口径を有するホース接続金具を螺合接続するための雄ネジを設けた構造になっているので、例えば、消火現場に運んできた消防ホースの接続金具の口径が前記雄ネジと合致しない場合、消防ホースを消火栓バルブに接続することができず、放水による消火活動が行えない事態が発生するという問題がある。
【０００４】
そこで、この考案の課題は、接続金具の口径が異なる消防ホースを接続することができるネジ式の消火栓バルブを提供することにある。
【課題を解決するための手段】
【０００５】
上記の課題を解決するため、この考案は、バルブ本体の消火液流出口にホース接続筒を設け、このホース接続筒の先端部外周に小径消防ホースの接続金具を螺合接続する雄ネジを形成し、前記ホース接続筒の外側に、軸方向へ移動可能となるよう外嵌し、このホース接続筒の先端側に位置させた状態で前記雄ネジの外側を覆うことのできる可動接続筒を取付け、この可動接続筒の外周先端側に大径消防ホースの接続金具を螺合接続する雄ネジを設けた構成を採用したものである。
【０００６】
上記可動接続筒は、その軸方向の移動範囲が、ホース接続筒の先端側に位置させた状態でこのホース接続筒の雄ネジを覆い、ホース接続筒の根元側に位置させた状態でこのホース接続筒の雄ネジを露出させるように設定され、可動接続筒とホース接続筒は、この可動接続筒をホース接続筒の先端側に位置させた状態で、両者の先端面が同一面になるよう形成されている構造とすることができる。
【０００７】
また、上記ホース接続筒と可動接続筒の嵌合面間に止水シールを設けた構造としてもよい。
【０００８】
ここで、上記バルブ本体は、ハンドルの操作で開閉動する弁機構を内部に収納し、下部に設けた消火液流入口を給水管に接続して取付け、ホース接続筒又は可動接続筒に消防ホースの端部を接続した状態で弁機構を開弁することにより、消防ホースからの放水が可能になる。
【０００９】
上記ホース接続筒は、バルブ本体の消火液流出口に螺合接続した取付け筒と、この取付け筒の先端に螺合接続した接続筒本体からなり、接続筒本体は、小径消防ホースの接続金具が外嵌する外径を有し、接続筒本体の先端部外周面に小径消防ホースの接続金具を螺合接続する雄ネジが形成されている。
【００１０】
上記可動接続筒は、上記ホース接続筒における取付け筒と接続筒本体にわたって外嵌し、大径消防ホースの接続金具が外嵌する外径を有し、先端部外周面に大径消防ホースの接続金具を螺合接続する雄ネジが形成され、また、可動接続筒の内径は、後端側が取付け筒に嵌合する小径部となり、途中から先端が接続筒本体に設けた雄ネジに外嵌する大径部からなり、上記止水シールは、接続筒本体の外周面に設けた周溝内に組み込まれ、可動接続筒の大径部に圧接するようになっている。
【考案の効果】
【００１１】
この考案によると、ホース接続筒の先端部外周に小径消防ホースの接続金具を螺合接続する雄ネジを形成し、前記ホース接続筒の外側に設けた可動接続筒の外周先端側に大径消防ホースの接続金具を螺合接続する雄ネジを設けたので、大小異なる口径の接続金具を有する消防ホースを接続することができ、火災現場に運んできた消防ホースが大径消防ホースと小径消防ホースのどちらであっても、ネジ式の消火栓バルブに対して接続することができ、これによって、消防ホースの選択ミスが起こらず、迅速に放水することで消火活動が行える。
【００１２】
また、可動接続筒をホース接続筒の先端側に位置させた状態で、両者の先端面が同一面になるよう形成したので、可動接続筒とホース接続筒の何れに消防ホースを接続した場合でも、ホース接続金具の内部に組み込んだパッキンを、可動接続筒又はホース接続筒の先端面に対して圧接させた接続が得られ、ホース接続部分の漏水発生を防ぐことができる。
【００１３】
また、可動接続筒を後端側に移動させておくことで、ホース接続筒の雄ネジに対する小径消防ホースの接続が支障なく行えることになる。
【００１４】
更に、ホース接続筒と可動接続筒の嵌合面間に止水シールを設けたので、可動接続筒に大径消防ホースを接続した場合の、接続部分からの漏水発生を確実に防ぐことができる。
【考案を実施するための最良の形態】
【００１５】
以下、この考案の実施の形態を図示例に基づいて説明する。
【００１６】
図１（ａ）のように、ネジ式の消火栓バルブ１は、バルブ本体２の内部に、上部ハンドル３の操作で開閉動する周知の弁機構を収納し、下部に設けた消火液流入口４を給水管５に接続して取付け、バルブ本体２の周囲に設けた筒状の消火液流出口６に消防ホースの接続機構７を設け、この接続機構７に消防ホースの端部を接続した状態で弁機構を開弁することにより、消防ホースからの放水が可能になっている。
【００１７】
上記消防ホースの接続機構７は、バルブ本体２の消火液流出口６に接続したホース接続筒８と、このホース接続筒８の外側に、軸方向へ移動可能となるよう外嵌した可動接続筒９からなり、前記ホース接続筒８の先端部外周に小径消防ホース１０の接続金具１１を螺合接続する雄ネジ１２が形成され、また、可動接続筒９の外周先端側に大径消防ホース１０ａの接続金具１１ａを螺合接続する雄ネジ１３が形成されている。
【００１８】
上記ホース接続筒８は、図２（ａ）と（ｂ）のように、バルブ本体２の消火液流出口６内に後端を螺合接続した取付け筒８ａと、この取付け筒８ａ内の先端に後端を螺合接続した接続筒本体８ｂからなり、取付け筒８ａは短尺の円筒で後端寄りの外周面に、可動接続筒９の後退動を規制するストッパー段部１４が周設されている。
【００１９】
また、接続筒本体８ａは、小径消防ホース１０の接続金具１１が外嵌する外径を有する円筒で、先端部外周面に小径消防ホース１０の接続金具１１を螺合接続する雄ネジ１２が形成されている。
【００２０】
上記可動接続筒９は、上記ホース接続筒８における取付け筒８ａと接続筒本体８ｂにわたって外嵌し、大径消防ホース１０ａの接続金具１１ａが外嵌する外径を有し、後端部外周面に手や工具で回り止め状に保持するための複数の突部１５が設けられ、先端部外周面に大径消防ホース１０ａの接続金具１１ａを螺合接続する雄ネジ１３が形成されている。
【００２１】
この可動接続筒９の内径は、後端側が取付け筒８ａに嵌合する小径部と、途中から先端が接続筒本体８ｂに設けた雄ネジ１２に外嵌する大径部からなり、上記接続筒本体８ｂの外周面に設けた突条１６の周溝内に止水シール１７が組み込まれ、可動接続筒９の内周大径部に圧接することにより、ホース接続筒８と可動接続筒９の嵌合部分の水密を保つようになっている。
【００２２】
上記可動接続筒９は、その軸方向の移動範囲が、ホース接続筒８の先端側に位置させた状態でこのホース接続筒８の雄ネジ１２を覆い、ホース接続筒８の根元側に位置させた状態でホース接続筒８の雄ネジ１２を露出させるように設定され、可動接続筒９とホース接続筒８は、図２（ｂ）のように、この可動接続筒９をホース接続筒８の先端側に位置させ、可動接続筒９の内径で小径部と大径部の間に形成された段差部分が突条１６に当接する状態で、可動接続筒９とホース接続筒８の先端面が同一面になるように形成されている。
【００２３】
なお、図示の場合、消防ホースの接続機構７はバルブ本体２に対して水平に突出する例を示したが、接続機構７は上向きや下向きの角度を持った傾斜状に突設してもよい。
【００２４】
この考案の消火栓バルブ１は、上記のような構成であり、図１（ａ）は、消火栓バルブ１の小径消防ホース１０を接続する前の状態を示し、可動接続筒９をホース接続筒８の後端側に位置させ、ホース接続筒８の先端に設けた雄ネジ１２が露出している。
【００２５】
この状態で、小径消防ホース１０の端部に設けた接続金具１１をホース接続筒８の先端に臨ませ、この接続金具１１をホース接続筒１０の雄ネジ１２に外嵌螺合すれば、図２（ａ）のように、ホース接続筒８の先端に小径消防ホース１０を接続することができ、ハンドル３で弁機構を開弁することにより、小径消防ホース１０からの放水が可能になる。
【００２６】
また、雄ネジ１２に接続金具をねじ込めば、接続金具の内部に組み込んだパッキン１８がホース接続筒８の先端面に圧接し、接続部分からの漏水の発生を防ぐことになる。
【００２７】
次に、図２（ｂ）は、消火栓バルブ１の大径消防ホース１０ａを接続する前の状態を示し、可動接続筒９をホース接続筒８の先端側に位置させ、この可動接続筒９でホース接続筒８の先端に設けた雄ネジ１２を覆い、可動接続筒９の内周に形成した小径部と大径部の段差部分が突条１６に当接する抜け止め状態で、可動接続筒９とホース接続筒８の先端面が同一面になっている。
【００２８】
この状態で、大径消防ホース１０ａの端部に設けた接続金具１１ａを可動接続筒９の先端に臨ませ、この接続金具１１ａを可動接続筒９の雄ネジ１３に外嵌螺合すれば、図２（ｂ）のように、ホース接続筒８の先端に大径消防ホース１０ａを接続することができ、ハンドル３で弁機構を開弁することにより、大径消防ホース１０ａからの放水が可能になる。
【００２９】
また、雄ネジ１３に接続金具１１ａをねじ込めば、接続金具１１ａの内部に組み込んだパッキン１８ａが可動接続筒９及びホース接続筒８の先端面に圧接し、接続部分からの漏水の発生を防ぐことになる。
【図面の簡単な説明】
【００３０】
【図１】（ａ）はこの考案に係る消火栓バルブの小径消防ホースを接続する前の状態を示す正面図、（ｂ）はこの考案に係る消火栓バルブの大径消防ホースを接続する前の状態を示す正面図
【図２】（ａ）この考案に係る消火栓バルブに小径消防ホースを接続した状態を示す要部の拡大した縦断正面図、（ｂ）はこの考案に係る消火栓バルブに大径消防ホースを接続した状態を示す要部の拡大した縦断正面図
【符号の説明】
【００３１】
１        消火栓バルブ
２        バルブ本体
３        上部ハンドル
４        消火液流入口
５        給水管
６        消火液流出口
７        接続機構
８        ホース接続筒
９        可動接続筒
１０      小径消防ホース
１０ａ    大径消防ホース
１１      接続金具
１１ａ    接続金具
１２      雄ネジ
１３      雄ネジ
１４      ストッパー段部
１５      突部
１６      突条
１７      止水シール
１８      パッキン
１８ａ    パッキン
【図１】
0003137784.tif 000003
【図２】
0003137784.tif 000004